(57)【要約】【課題】口腔検査結果を分かりやすく表示する方法を提供することを目的とする。【解決手段】口腔から得られる被検試料における、潜血量を含む２以上の検査項目の測定値を受け付ける工程、及び前記受け付けた各測定値を含む口腔検査結果を表示する工程を含む、口腔検査結果の表示方法において、潜血量の測定値と他の検査項目の測定値とを異なる態様で表示する。好ましくは、潜血量の測定値と他の検査項目の測定値とで、表示の大きさ、グラフ種、表示色、表示位置、及びフォント種のいずれか１以上の態様が異なる。ここで、検査項目は、潜血量と、ムシ歯菌数、酸性度、緩衝能、白血球数、総タンパク質濃度、及びアンモニア濃度から選択される１以上とを含むことが好ましく、また各検査項目の測定値は、定量、半定量、及び定性のいずれか１以上であることが好ましい。【選択図】図２
2018183513.tif 000002
【特許請求の範囲】
【請求項１】
口腔から得られる被検試料における、潜血量を含む２以上の検査項目の測定値を受け付ける工程、及び
前記受け付けた各測定値を含む口腔検査結果を表示する工程を含む、口腔検査結果の表示方法であって、
潜血量の測定値と他の検査項目の測定値とを異なる態様で表示することを特徴とする、方法。
【請求項２】
潜血量の測定値と他の検査項目の測定値とで異なる表示態様が、表示の大きさ、グラフ種、表示色、表示位置、及びフォント種のいずれか１以上である、請求項１に記載の方法。
【請求項３】
検査項目が、潜血量と、ムシ歯菌数、酸性度、緩衝能、白血球数、総タンパク質濃度、及びアンモニア濃度から選択される１以上とを含む、請求項１又は２に記載の方法。
【請求項４】
各検査項目の測定値が、定量、半定量、及び定性のいずれかである、請求項１〜３のいずれか一項に記載の方法。
【請求項５】
口腔から得られる被検試料における、潜血量を含む２以上の検査項目の測定値を受け付ける入力部と、
前記測定値を記憶する記憶部と、
前記測定値を含む口腔検査結果を表示する表示部と、
前記口腔検査結果を含む口腔検査結果シートを作成する制御部とを備え、
前記口腔検査結果において潜血量の測定値と他の検査項目の測定値とが異なる態様で表示される、口腔検査結果シート作成装置。
【請求項６】
さらに、作成された口腔検査結果シートを外部装置に出力する通信部を備える、請求項５に記載の口腔検査結果シート作成装置。
【請求項７】
請求項５又は６に記載の口腔検査結果シート作成装置と、
口腔から得られる被検試料における、潜血量を含む２以上の検査項目を測定する測定部とを備える、検査装置。
【請求項８】
コンピュータに、
口腔から得られる被検試料における、潜血量を含む２以上の検査項目の測定値を受け付ける工程、及び
前記受け付けた各測定値を含む口腔検査結果を表示する工程を実行させるプログラムであって、
潜血量の測定値と他の検査項目の測定値とを異なる態様で表示させることを特徴とする、プログラム。
【請求項９】
前記コンピュータに、
さらに、表示された口腔検査結果を含む口腔検査結果シートを作成する工程を実行させる、請求項８に記載のプログラム。
【請求項１０】
前記コンピュータに、
さらに、作成された口腔検査結果シートを外部装置に出力する工程を実行させる、請求項９に記載のプログラム。
【発明の詳細な説明】
【技術分野】
【０００１】
本発明は、口腔検査結果の表示方法に関する。また、前記方法によって表示された口腔検査結果を含む口腔検査結果シートを作成するための装置、及びプログラムに関する。
【背景技術】
【０００２】
う蝕（ムシ歯）や歯周病等の口腔疾患の罹患しやすさや進行度を把握し、予防や治療に役立てるため、被験者から採取された唾液やうがい液を試料として、潜血、白血球、総タンパク質などの検査項目を評価する口腔検査が一般に行われている。
かかる口腔検査では、測定値やそれに対応するコメントがディスプレイ表示や検査結果シートの形態で歯科医や被験者に提供される（特許文献１）。
【０００３】
従来、口腔検査結果を提示するディスプレイ表示や検査結果シートでは、複数の検査項目が並列に表示されてきた。例えば、図１に示すように、潜血量、ムシ歯菌数、酸性度、緩衝能、白血球数、総タンパク質濃度、及びアンモニア濃度を測定した場合、７つの検査項目が並列に同じ態様で表示され、検査項目毎の視認性に違いはなかった。むしろ、並列に扱い同じ態様で表示することにより、検査項目全体のバランスを確認することで、口腔状態の把握に役立てることがなされてきた。
【先行技術文献】
【特許文献】
【０００４】
【特許文献１】特開２０１６−１１２９号公報
【発明の概要】
【発明が解決しようとする課題】
【０００５】
かかる状況において、口腔検査においては、全検査項目を並列に同じ態様で表示された従来の検査結果シート（例えば図１）では、検査項目ごとの結果の重要性が分かりにくいため、歯科医師は的確なアドバイスを出しにくかったり、被験者本人も検査結果を簡便に理解することがしにくかったりするといった問題が生じている。
このような状況を鑑みて、本発明は、口腔検査結果を分かりやすく表示する方法を提供することを目的とする。
【課題を解決するための手段】
【０００６】
本発明者らは、上記課題を解決するべく鋭意研究の末、口腔から得られる被検試料の複数の検査結果の測定値を含む検査結果を、検査項目の重要性に応じて態様を変えて表示することによって、上記課題を解決できることに想到し、本発明を完成させた。具体的には、潜血項目の重要性に着目し、態様を変えて表示する口腔検査結果の表示方法である。
すなわち、本発明は以下の通りである。
【０００７】
本発明の第一の側面は、以下の口腔検査結果の表示方法である（以降、「本発明の表示方法」ともいう）。
［１］口腔から得られる被検試料における、潜血量を含む２以上の検査項目の測定値を受け付ける工程、及び前記受け付けた各測定値を含む口腔検査結果を表示する工程を含む、口腔検査結果の表示方法であって、潜血量の測定値と他の検査項目の測定値とを異なる態様で表示することを特徴とする、方法。
［２］潜血量の測定値と他の検査項目の測定値とで異なる表示態様が、表示の大きさ、グラフ種、表示色、表示位置、及びフォント種のいずれか１以上である、［１］に記載の方法。
［３］検査項目が、潜血量と、ムシ歯菌数、酸性度、緩衝能、白血球数、総タンパク質濃度、及びアンモニア濃度から選択される１以上とを含む、［１］又は［２］に記載の方法。
［４］各検査項目の測定値が、定量、半定量、及び定性のいずれかである、［１］〜［３］のいずれかに記載の方法。
【０００８】
本発明の第二の側面は、以下の口腔検査結果シート作成装置、及びこれを備える検査装置である（以降、「本発明の作製装置」「本発明の検査装置」ともいう）。
［５］口腔から得られる被検試料における、潜血量を含む２以上の検査項目の測定値を受け付ける入力部と、前記測定値を記憶する記憶部と、前記測定値を含む口腔検査結果を表示する表示部と、前記口腔検査結果を含む口腔検査結果シートを作成する制御部とを備え、前記口腔検査結果において潜血量の測定値と他の検査項目の測定値とが異なる態様で表示される、口腔検査結果シート作成装置。
［６］さらに、作成された口腔検査結果シートを外部装置に出力する通信部を備える、［５］に記載の口腔検査結果シート作成装置。
［７］［５］又は［６］に記載の口腔検査結果シート作成装置と、口腔から得られる被検試料における、潜血量を含む２以上の検査項目を測定する測定部とを備える、検査装置。
【０００９】
本発明の第三の側面は、以下の口腔検査結果の表示やシート作成に係るプログラムである（以降、「本発明のプログラム」ともいう）。
［８］コンピュータに、口腔から得られる被検試料における、潜血量を含む２以上の検査項目の測定値を受け付ける工程、及び前記受け付けた各測定値を含む口腔検査結果を表示する工程を実行させるプログラムであって、潜血量の測定値と他の検査項目の測定値とを異なる態様で表示させることを特徴とする、プログラム。
［９］前記コンピュータに、さらに、表示された口腔検査結果を含む口腔検査結果シートを作成する工程を実行させる、［８］に記載のプログラム。
［１０］前記コンピュータに、さらに、作成された口腔検査結果シートを外部装置に出力する工程を実行させる、［９］に記載のプログラム。
【発明の効果】
【００１０】
本発明の表示方法によれば、口腔から得られる被検試料の複数の検査結果の測定値を含む検査結果から、特に重要な潜血項目を第一に確認することができ、口腔状態を的確に把握することができる。
【図面の簡単な説明】
【００１１】
【図１】従来の検査結果の表示例。
【図２】本発明の実施の一形態である検査結果の表示例。
【図３】本発明の実施の一形態である検査結果の表示例。
【図４】本発明の実施の一形態である検査結果の表示例。
【図５】口腔検査結果シート作成装置の構成例を示す図である。
【図６】情報処理装置のハードウェア構成例を示す図である。
【図７】口腔検査結果シート作成装置による口腔検査結果シートの作成の動作フロー例を示す図である。
【発明を実施するための形態】
【００１２】
以下、図面を参照して実施形態について説明する。実施形態の構成は例示であり、本発明は、開示の実施形態の具体的構成に限定されない。本発明の実施にあたって、実施形態に応じた具体的構成が適宜採用されてもよい。
【００１３】
＜１＞口腔検査結果の表示方法
本発明の表示方法は、口腔から得られる被検試料における、潜血量を含む２以上の検査項目の測定値を受け付ける工程、及び前記受け付けた各測定値を含む口腔検査結果を表示する工程を含む。通常、本発明の表示方法の各工程は、後述するようにコンピュータにより実施されうる。
【００１４】
本発明において、口腔から得られる被検試料としては、例えば、安静時唾液（非刺激唾液）、刺激唾液、洗口吐出液が挙げられる。刺激唾液としては、ガムで刺激して採取した唾液が挙げられる。これらの中では、洗口吐出液が好ましい。洗口吐出液は、例えば、精製水を口に含み、吐き出すことにより得られる。具体的には、例えば、３ｍＬの精製水を１０秒間口に含み、容器に吐き出せばよい。精製水の容量や、口に含む時間は、必要により適宜変更することができる。得られた被検試料は特段の前処理なく以降の操作に利用できるが、必要に応じて、適宜希釈等の追加操作を行ってもよい。
【００１５】
本発明における検査項目は、潜血量を含む２以上であり、好ましくは、潜血量と、ムシ歯菌数、酸性度、緩衝能、白血球数、総タンパク質濃度、及びアンモニア濃度から選択される１以上とを含む。
「潜血量」は、口腔から得られる被検試料中の血液量をいう。歯周病に伴って歯茎の組織が破壊されると唾液中に潜血が検出されることが知られており、潜血量は歯周組織の破壊度を反映する項目である。潜血は、歯茎内部の化膿や歯垢の蓄積など様々な病態のいずれにおいても歯茎からの出血がそのサインになり、また、通常は被検試料中のヘモグロビンを直接測定するため、口腔内の状態を高い相関性で反映することから、口腔検査において特に重要性の高い項目である。
近年、潜血項目が口腔疾患を特に反映し、状態を把握するのに他の検査項目よりも重要度が高いことが分かってきた。すなわち、代表的な口腔疾患のひとつである歯周病において、歯茎内部の化膿や歯垢の蓄積など様々な病態のいずれにおいても歯茎からの出血がそのサインになる。また、口腔検査における潜血項目は、通常は試料中のヘモグロビンを直接測定するため、酵素反応などで間接的に測定する白血球などの検査項目に比べて、口腔内の状態を高い相関性で表すものである。
【００１６】
「ムシ歯菌数」は、う蝕の原因菌であるう蝕菌（ミュータンス菌）の数をいう。う蝕菌は、う蝕リスクを反映する項目である。
「酸性度」は、唾液のｐＨをいう。ムシ歯菌により生成される酸によって唾液の酸性度は低下し、歯の表面のエナメル質が溶け、う蝕が進行する。そのため、
「緩衝能」は、う蝕菌が生成する酸に対する抵抗力をいう。酸緩衝能は、う蝕リスクを反映する項目である。
【００１７】
「白血球数」は、口腔から得られる被検試料中の白血球の数をいう。歯周病の罹患部位（炎症部位）には白血球が集まることが知られており、白血球数は歯周組織の炎症度を反映する項目である。
「総タンパク質濃度」は、口腔から得られる被検試料中の総タンパク質の濃度をいう。口腔の歯周病菌数が多いほど総タンパク質濃度が高くなるため、総タンパク質濃度は歯周病菌数を反映する項目である。
「アンモニア濃度」は、口腔から得られる被検試料中のアンモニアの濃度をいう。口腔で歯周病菌を含む菌が活発に繁殖しているほどアンモニア濃度が高くなるため、アンモニア濃度は口腔内菌の数を反映する項目である。
【００１８】
これらの検査項目は、常法により測定され、その測定値は定量、半定量、及び定性のいずれかであってよい。その測定値は受け付けられた後に、口腔検査結果として表示される。かかる表示において、潜血量の測定値と他の検査項目の測定値とでは異なる態様で表示される。好ましくは、潜血量と他の検査項目とでは測定値を、表示の大きさ、グラフ種、
表示色、表示位置、及びフォント種のいずれか１以上を変えて表示する。
具体的には、例えば、図２に示すように、潜血量の測定結果は棒グラフで表示し、他の複数の項目の測定結果を１つのレーダーチャートに同じ態様で表示する。ここで、潜血量の測定結果を、異なるグラフ種で表示しさえすれば、さらに重複して他の複数の項目の測定結果のレーダーチャート内にも併せて表示してもよい。
また、図３に示すように、潜血量の測定結果は棒グラフで表示し、他の複数の項目の測定結果を１つのレーダーチャートに同じ態様で表示する。さらに、各項目の異なる検査日の結果を併せて経時的に示す、棒グラフを表示する。ここで、経時結果を示す棒グラフは、潜血量と他の項目とで異なる色で表示される。あるいは、潜血量の経時結果を示す棒グラフは、他の項目の経時結果を示す棒グラフよりも大きく表示されてもよい。
また、図４に示すように、潜血量の測定結果を棒グラフで表示し、さらに潜血量のみの経時的な測定結果の折れ線グラフを表示する。なお、この場合、他の検査項目の測定結果は、潜血量のみの前記表示に「掲載しない」という「異なる態様」で表示されることになる。
このように、潜血量の測定結果を、他の検査項目とは異なる態様で表示することにより、口腔状態の把握において重要性の高い潜血量の結果の視認性が高まり、これを第一に確認することができ、口腔状態を的確に素早く把握し、診療や自己ケアに役立てることができる。
【００１９】
＜２＞口腔検査結果シート作成装置、及びプログラム
本発明の口腔検査結果シート作成装置は、口腔から得られる被検試料における、潜血量を含む２以上の検査項目の測定値を受け付ける入力部と、前記測定値を記憶する記憶部と、前記測定値を含む口腔検査結果を表示する表示部と、前記口腔検査結果を含む口腔検査結果シートを作成する制御部とを備える。好ましくは、さらに、作成された口腔検査結果シートを外部装置に出力する通信部を備える。
本発明の口腔検査結果シート作成装置は、口腔検査結果において潜血量の測定値と他の検査項目の測定値とを異なる態様で表示する。この異なる態様での表示にかかる説明は、前述の本発明の表示方法の説明に準ずる。
【００２０】
本発明の口腔検査結果シート作成装置は、口腔から得られる被検試料における、潜血量、白血球数、総タンパク質濃度、及びアンモニア濃度を測定する測定部と組み合わせて、検査装置の態様とすることもできる。
測定部としては、特に制限されず公知の方法で行うことができ、例えば国際公開２０１２／０９０９９５号に記載の測定手段を有するものを適用できる。
【００２１】
以下、図面を参照して説明する。
図５は、本発明の口腔検査結果シート作成装置１０及び検査装置３０の構成例を示す。口腔検査結果シート作成装置１０は、制御部１１、入力部１２、表示部１４、及び記憶部１５を備え、さらに判定部１３、通信部１６を備えてもよい。検査装置３０は、検査結果シート作成装置１０と測定部２０とを備える。
測定部２０は、被検者の口腔から得られる被検試料における、潜血量と、ムシ歯菌数、酸性度、緩衝能、白血球数、総タンパク質濃度、及びアンモニア濃度から選択される１以上の項目とを測定する。口腔検査結果シート作成装置１０は、測定部２０から測定結果を取得し、検査結果シートを作成する。
【００２２】
制御部１１は、検査結果シート作成装置１０の全体の動作を制御する。制御部１１は、通信部１６を介して、測定部２０の動作を制御してもよい。
入力部１２は、測定部２０から、口腔から得られる被検試料における、潜血量と、ムシ歯菌数、酸性度、緩衝能、白血球数、総タンパク質濃度、及びアンモニア濃度から選択される１以上の項目との測定値を受け付ける。入力部１２は、ネットワークなどを経由して
、被検者の前記測定値を受け付けてもよい。また、入力部１２は、利用者（歯科医師、歯科衛生士、健診担当者、ドラッグストア店員、被検者自身等）による文字等の入力、ボタン等の選択、操作などを受け付ける。入力部１２は、キーボード、ポインティングデバイスなどによって実現されうる。
判定部１３は、例えば、前記測定値に基づいて、任意の判定方法のフローに従って、歯周病ステージや口腔疾患リスクを判定する。
記憶部１５は、プログラム記憶部１５１とデータ記憶部１５２とを備える。プログラム記憶部は、本発明のプログラムを格納する。データ記憶部１５２は、判定部１３で使用される測定値、判定結果、後述するコメント、被検者情報等のデータを格納する。
【００２３】
ここで、本発明のプログラムは、コンピュータに口腔から得られる被検試料における、潜血量を含む２以上の検査項目の測定値を受け付ける工程、及び前記受け付けた各測定値を含む口腔検査結果を表示する工程を実行させるプログラムである。好ましくは、さらに、表示された口腔検査結果を含む口腔検査結果シートを作成する工程を実行させ、より好ましくは、さらに作成された口腔検査結果シートを外部装置に出力する工程を実行させる。本発明のプログラムは、潜血量の測定値と他の検査項目の測定値とを異なる態様で表示させる。この異なる態様での表示にかかる説明は、前述の本発明の表示方法の説明に準ずる。
【００２４】
表示部１４は、被検者情報、測定値を含む測定結果、測定結果に対応するコメント等を表示する。表示部１４は、例えば、ディスプレイ等の表示装置によって実現されうる。
測定結果に対応するコメントは、例えば、測定結果に基づく歯周病ステージの説明、ケア方法の指導、又はケア製品の提案等の、被検者に提供されるメッセージである。好ましい態様では、判定された歯周病ステージや口腔状態ごとに、各項目（歯周病ステージの説明、ケア方法の指導、又はケア製品の提案等）について対応するコメントが１つずつ予め用意されており、判定結果に基づいて対応するコメントが呼び出されて表示される。
【００２５】
通信部１６は、測定部２０や出力装置４０等との間でのデータの通信を行う。また、通信部１６には、外部記憶装置などの外部装置が接続され得る。
出力装置４０は、制御部１１からの指示に基づいて、通信部１６を経由して、被検者情報、測定値を含む測定結果、測定結果に基づく歯周病ステージや口腔状態及びそれらに対応するコメント等を含む検査結果シートを用紙等に印刷する。出力装置４０は、プリンタなどの印刷装置によって実現されうる。
【００２６】
検査装置３０は、測定部２０の操作方法を表示するなどして、利用者（歯科医師、歯科衛生士、健診担当者、ドラッグストア店員、被検者自身等）に測定部２０を用いて唾液等の被検試料の採取、及び潜血量を含む２以上の検査項目の測定を行わせることができる。測定部２０が被検試料の検査を終了すると、検査結果シート作成装置１０は測定部２０から送信された測定値を入力部１２で受け付け、記憶部１５に格納する。
【００２７】
検査結果シート作成装置１０は、ＰＣ、ワークステーション（ＷＳ、Work Station）、ＰＤＡ（Personal Digital Assistant）のような専用または汎用のコンピュータ（情報処理装置）、あるいは、コンピュータを搭載した電子機器を使用して実現可能である。また、検査結果シート作成装置１０は、スマートフォン、携帯電話、タブレット型端末、専用または汎用のコンピュータ、あるいは、コンピュータを搭載した電子機器を使用しても実現可能である。
【００２８】
図６は、情報処理装置のハードウェア構成例を示す。検査結果シート作成装置１０は、図６に示すような情報処理装置１００によって実現されうる。図６の情報処理装置１００は、プロセッサ１０２、メモリ１０４、記憶部１０６、入力部１０８、出力部１１０、通
信部１１２を有する。メモリ１０４及び記憶部１０６は、コンピュータ読み取り可能な記録媒体である。情報処理装置のハードウェア構成は、図６に示される例に限らず、適宜構成要素の省略、置換、追加が行われてもよい。
【００２９】
情報処理装置１００は、プロセッサ１０２が記録媒体に記憶されたプログラムをメモリ１０４の作業領域にロードして実行し、プログラムの実行を通じて各構成部等が制御されることによって、所定の目的に合致した機能を実現することができる。
プロセッサ１０２は、例えば、ＣＰＵ（Central Processing Unit）やＤＳＰ（Digital
Signal Processor）である。
メモリ１０４は、例えば、ＲＡＭ（Random Access Memory）やＲＯＭ（Read Only Memory）を含む。メモリ１０４は、主記憶装置とも呼ばれる。
【００３０】
記憶部１０６は、例えば、ＥＰＲＯＭ（Erasable Programmable ROM）、ハードディス
クドライブ（ＨＤＤ、Hard Disk Drive）である。また、記憶部１０６は、リムーバブル
メディア、即ち可搬記録媒体を含むことができる。リムーバブルメディアは、例えば、ＵＳＢ（Universal Serial Bus）メモリ、あるいは、ＣＤ（Compact Disc）やＤＶＤ（Digital Versatile Disc）のようなディスク記録媒体である。記憶部１０６は、二次記憶装置とも呼ばれる。
記憶部１０６は、各種のプログラム、各種のデータ及び各種のテーブルを読み書き自在に記録媒体に格納する。記憶部１０６には、オペレーティングシステム（Operating System :ＯＳ）、各種プログラム、各種テーブル等が格納される。記憶部１０６に格納される情報は、メモリ１０４に格納されてもよい。また、メモリ１０４に格納される情報は、記憶部１０６に格納されてもよい。
【００３１】
オペレーティングシステムは、ソフトウェアとハードウェアとの仲介、メモリ空間の管理、ファイル管理、プロセスやタスクの管理等を行うソフトウェアである。オペレーティングシステムは、通信インタフェースを含む。通信インタフェースは、通信制御部１１２を介して接続される他の外部装置等とデータのやり取りを行うプログラムである。外部装置等には、例えば、他の情報処理装置、外部記憶装置等が含まれる。
【００３２】
入力部１０８は、キーボード、ポインティングデバイス、ワイヤレスリモコン、タッチパネル等を含む。また、入力部１０８は、カメラのような映像や画像の入力装置や、マイクロフォンのような音声の入力装置を含むことができる。
出力部１１０は、ＣＲＴ（Cathode Ray Tube）ディスプレイ、ＬＣＤ（Liquid Crystal
Display）、ＰＤＰ（Plasma Display Panel）、ＥＬ（Electroluminescence）パネル等
の表示装置、プリンタ等の出力装置を含む。また、出力部１１０は、スピーカのような音声の出力装置を含むことができる。
入力部１０８及び出力部１１０は、それぞれ、情報処理装置１００と独立した周辺装置である、入力装置及び出力装置であってもよい。このとき、入力装置及び出力装置は、情報処理装置１００と、情報処理装置１００の通信制御部１１２を介して接続される。
【００３３】
通信制御部１１２は、他の装置と接続し、情報処理装置１００と他の装置との間の通信を制御する。通信制御部１１２は、例えば、ＵＳＢ（Universal Serial Bus）インタフェースボード、映像出力回路、ＬＡＮ（Local Area Network）インタフェースボード、無線通信のための無線通信回路、電話通信のための通信回路である。ＬＡＮインタフェースボードや無線通信回路は、インターネット等のネットワークに接続される。電話通信のための通信回路は、電話通信網に接続される。例えば、情報処理装置１００は、通信制御部１１２を介して、検査装置２０と接続される。
【００３４】
検査結果シート作成装置１０を実現する情報処理装置は、プロセッサ１０２が二次記憶
装置に記憶されているプログラムを主記憶装置にロードして実行することによって、制御部１１、入力部１２、判定部１３、表示部１４、及び通信部１６としての機能を実現する。一方、記憶部１５は、主記憶装置または二次記憶装置の記憶領域に設けられる。
検査結果シート作成装置１０の各ユニットは、ハードウェアの構成要素、ソフトウェアの構成要素、又は、これらの組み合わせとして、それぞれ実現されうる。
【００３５】
ハードウェアの構成要素は、ハードウェア回路であり、例えば、ＦＰＧＡ（Field Programmable Gate Array）、特定用途向け集積回路（ＡＳＩＣ）、ゲートアレイ、論理ゲー
トの組み合わせ、アナログ回路等がある。
【００３６】
ソフトウェアの構成要素は、ソフトウェアとして所定の処理を実現する部品である。ソフトウェアの構成要素は、ソフトウェアを実現する言語、開発環境等を限定する概念ではない。
【００３７】
プログラムを記述するステップは、記載された順序に沿って時系列的に行われる処理はもちろん、必ずしも時系列的に処理されなくても、並列的または個別に実行される処理を含む。プログラムを記述するステップの一部が省略されてもよい。
【００３８】
図７を参照して、検査結果シート作成装置１０による検査結果シートの作成の動作例について説明する。ここでは、検査結果シート作成装置１０の利用者（歯科医師、歯科衛生士、健診担当者、ドラッグストア店員、被検者自身等）が、測定部２０を用いて被検者に対する検査を行って検査結果シートを作成する際の、検査結果シート作成装置１０の動作例を示す。
【００３９】
ステップＳ１では、検査結果シート作成装置１０の制御部１１は、表示部１４に、被検者情報を入力させる患者情報入力画面を表示する。制御部１１は、利用者が被検者情報を入力するのを待機する。
被検者情報としては、例えば、患者氏名、生年月日、性別、カルテ番号等が挙げられるが、これらに限定されない。
【００４０】
被検者が過去に検査を受けたことがある場合、当該被検者に関するカルテテーブルがデータ記憶部１５２に存在する。カルテテーブルは、被検者の情報を格納するテーブルである。１人の被検者に対して１つのカルテテーブルが作成され、各カルテテーブルは、カルテ番号によって識別される。各被検者のカルテテーブルには、前記被検者情報の他に、過去の検査結果（測定値、判定結果、コメント等）が含まれうる。
利用者により当該被検者のカルテ番号が入力されると、制御部１１は、入力されたカルテ番号に対応するカルテテーブルをデータ記憶部１５２から取得し、当該カルテテーブルから被検者氏名、生年月日、性別等を抽出し、表示部１４に表示する被検者情報項目とする。
【００４１】
被検者が今回初めて検査を受ける場合、データ記憶部１５２には当該被検者に関するカルテテーブルが存在しない。そのため、利用者は、被検者氏名、生年月日、性別等の被検者情報を入力する。入力部１２は、これらの被検者情報を受け付け、制御部は新たにカルテテーブルを作成し、入力された被検者情報を当該カルテテーブルに登録して、記憶データ記憶部１５２に格納する。
【００４２】
ステップＳ２では、検査結果シート作成装置１０の制御部１１は、表示部１４に検査手順アドを表示し、通信部１６を介して、測定部２０に被検者の口腔から得られる被検試料における、潜血量、白血球数、総タンパク質濃度、及びアンモニア濃度を測定させる。
検査結果シート作成装置１０は、表示部１４に検査手順を表示する。利用者は、表示部
１４に表示される検査手順等に基づいて、被検者の口腔から被検試料採取後、測定部２０から判定シート作成装置１０に測定開始を示す信号を送信する。さらに、検査結果シート作成装置１０は、表示部１４に、測定手順等を表示する。利用者は、表示部１４に表示される測定手順等に基づいて、測定部２０に被検試料を適当な態様で、例えば被検試料を点着した試験紙をセットする。また、検査結果シート作成装置１０は、セットされた被検試料について、測定部２０に潜血量、白血球数、総タンパク質濃度、及びアンモニア濃度の測定をさせる。測定は、例えば国際公開２０１２／０９０９９５号に記載の測定方法で行われ、測定結果は例えば呈色反応の進行と相関する反射率データとして取得される。に測定が終了すると、測定部２０から検査結果シート作成装置１０に測定終了を示す信号が送信される。
【００４３】
ステップＳ３では、検査結果シート作成装置１０の制御部１１は、測定部２０から、通信部１６を介して、測定終了を示す信号を受信すると、測定部２０に対し、検査日時及び測定結果を送信することを指示する。測定部２０は、検査日時及び測定結果を検査結果シート作成装置１０に送信する。測定部２０は、測定終了を示す信号とともに、検査日時及び測定結果を検査結果シート作成装置１０に送信してもよい。
検査結果シート作成装置１０は、測定部２０から取得した検査日時及び測定結果を、入力部で受け付け、データ記憶部１５２に格納されている被検者のカルテテーブルに記憶する。
【００４４】
好ましい態様では、ステップＳ４で、検査結果シート作成装置１０の制御部１１は、判定部１３に測定結果に基づき、任意保判定フローに従って歯周病ステージや口腔状態を判定させる。判定結果は、データ記憶部１５２に格納されている被検者のカルテテーブルに記憶される。
【００４５】
ステップＳ５では、検査結果シート作成装置１０の制御部１１は、ステップＳ４の判定結果に対応するコメントをデータ記憶部１５２から選択して呼び出し、今回の結果としてデータ記憶部１５２に格納されている被検者のカルテテーブルに記憶させる。
判定結果に対応するコメントは、判定された歯周病ステージ毎に、判定された歯周病ステージの説明、ケア方法の指導、又はケア製品の提案等の項目について１つずつ予め用意されたものである。例えば、歯周病ステージが「軽度歯周炎」と判定された場合は、「歯周病の初期段階です。歯茎に炎症があり、出血があります。」といった歯周病ステージの説明、「歯ブラシの毛先を歯と歯肉の境目に４５度の角度に当てて磨きましょう。」といったケア方法の指導、「殺菌成分が配合された歯磨剤を使いましょう。」といったケア製品の提案等のコメントが用意されており、ステップＳ５で呼び出される。
【００４６】
ステップＳ６では、検査結果シート作成装置１０の制御部１１は、表示部１４に、ステップＳ２で行った今回の検査の測定結果と、ステップＳ４の判定結果と、ステップＳ５で呼び出されたコメントとを画面を表示する。
この際の表示は、本発明の表示方法の通り、潜血量の検査結果と、他の検査項目の結果とで、異なる態様で表示される。
【００４７】
ステップＳ７では、検査結果シート作成装置１０の制御部１１は、データ記憶部１５２に格納されている被検者のカルテテーブルから、今回の検査結果を呼び出して、被検者情報と、ステップＳ２で行った今回の検査の測定結果と、ステップＳ４の判定結果と、ステップＳ５で呼び出されたコメントとを含む検査結果シートを作成し、出力装置４０に用紙への印刷をさせる。印刷された検査結果シートは、被検者に提供される。被検者は、利用者から検査結果と今後のケアについて説明を受ける。
また、ステップＳ７の出力は行われなくてもよく、ステップＳ６で表示部１４に表示された判定結果等を見ながら、利用者から被検者への説明がなされてもよい。
【符号の説明】
【００４８】
１０            口腔検査結果シート作成装置
１１            制御部
１２            入力部
１４            表示部
１５            記憶部
１５１            プログラム記憶部
１５２            データ記憶部
１６            通信部
２０            測定部
３０            検査装置
１００            情報処理装置
１０２            プロセッサ
１０４            メモリ
１０６            記憶部
１０８            入力部
１１０            出力部
１１２            通信制御部
【図１】
2018183513.tif 000003
【図２】
2018183513.tif 000004
【図３】
2018183513.tif 000005
【図４】
2018183513.tif 000006
【図５】
2018183513.tif 000007
【図６】
2018183513.tif 000008
【図７】
2018183513.tif 000009